(57)【特許請求の範囲】
【請求項１】
撮像装置に実装される制御装置であって、
電気部品と不揮発性の第１の記憶手段とを実装するとともに、独立して交換可能な第１の回路基板と、
電気部品と不揮発性の第２の記憶手段とを実装する第２の回路基板と、
前記撮像装置の撮像に応じた第１のタイミングで第３の記憶手段に撮像回数に関する情報を累積して記憶するとともに、前記第１のタイミングよりも間隔の開いた第２のタイミングで前記第１の記憶手段または前記第２の記憶手段に前記第３の記憶手段に記憶された情報に対応する情報を記憶させるコントローラと、を備え、
前記コントローラは、前記第１の記憶手段または前記第２の記憶手段に記憶されている撮像回数に関する情報を前記第３の記憶手段に移動する場合、前記第１の記憶手段および前記第２の記憶手段に記憶されている撮像回数に関する情報のうち撮像回数が多い方を前記第３の記憶手段に移動することを特徴とする制御装置。
【請求項２】
前記第３の記憶手段は、前記第１の回路基板に実装されていることを特徴とする請求項１に記載の制御装置。
【請求項３】
前記コントローラは、前記第１の回路基板に実装されていることを特徴とする請求項１または２に記載の制御装置。
【請求項４】
前記第２のタイミングは、前記撮像装置の電源状態の変化に対応したタイミングであることを特徴とする請求項１乃至３のいずれか１項に記載の制御装置。
【請求項５】
前記第３の記憶手段は、揮発性の記憶手段であることを特徴とする請求項１乃至４のいずれか１項に記載の制御装置。
【請求項６】
前記第１のタイミングは、前記撮像装置のシャッター駆動に連動するタイミングであることを特徴とする請求項３に記載の制御装置。
【請求項７】
前記コントローラは、前記第１の記憶手段への記憶の頻度よりも少ない頻度で前記第２の記憶手段へ記憶することを特徴とする請求項１乃至６のいずれか１項に記載の制御装置。
【請求項８】
前記コントローラは、前記撮像装置の電源スイッチのオフ、オートパワーオフ、前記撮像装置に着脱可能な記憶媒体の収納蓋の開動作、前記撮像装置の測光タイマのオフのいずれかのタイミングで前記第１の記憶手段に記憶するとともに、前記電源スイッチのオフ、前記オートパワーオフ、前記収納蓋の開動作のいずれかのタイミングで前記第２の記憶手段に記憶することを特徴とする請求項１乃至７のいずれか１項に記載の制御装置。
【請求項９】
請求項１乃至８のいずれか１項に記載の制御装置と、前記第３の記憶手段に記憶されている情報に基づいて、撮像回数に対応する情報を表示可能な表示手段とを有することを特徴とする撮像装置。
【請求項１０】
請求項１乃至８のいずれか１項に記載の制御装置と、前記撮像の際に駆動するセンサとを有することを特徴とする撮像装置。
【請求項１１】
撮像装置に実装される制御装置であって、
電気部品と不揮発性の第１の記憶手段とを実装するとともに、独立して交換可能な第１の回路基板と、
電気部品と不揮発性の第２の記憶手段とを実装する第２の回路基板と、
前記撮像装置の撮像に応じた第１のタイミングで第３の記憶手段に撮像回数に関する情報を累積して記憶するとともに、前記第１のタイミングよりも間隔の開いた第２のタイミングで前記第１の記憶手段または前記第２の記憶手段に前記第３の記憶手段に記憶された情報に対応する情報を記憶させるコントローラと、を備え、
前記コントローラは、前記第３の記憶手段に記憶された情報に対応する情報を、前記第１の記憶手段への記憶の頻度よりも少ない頻度で前記第２の記憶手段へ記憶させるとともに、
前記コントローラは、前記第１の記憶手段または前記第２の記憶手段に記憶されている撮像回数に関する情報を前記第３の記憶手段に移動する場合、前記第１の記憶手段および前記第２の記憶手段に記憶されている撮像回数に関する情報を比較して前記第３の記憶手段に移動することを特徴とする制御装置。
【請求項１２】
前記第３の記憶手段は、前記第１の回路基板に実装されていることを特徴とする請求項１１に記載の制御装置。
【請求項１３】
前記コントローラは、前記第１の回路基板に実装されていることを特徴とする請求項１１または１２に記載の制御装置。
【請求項１４】
前記第２のタイミングは、前記撮像装置の電源状態の変化に対応したタイミングであることを特徴とする請求項１１乃至１３のいずれか１項に記載の制御装置。
【請求項１５】
前記第３の記憶手段は、揮発性の記憶手段であることを特徴とする請求項１１乃至１４のいずれか１項に記載の制御装置。
【請求項１６】
前記第１のタイミングは、前記撮像装置のシャッター駆動に連動するタイミングであることを特徴とする請求項１３に記載の制御装置。
【請求項１７】
前記コントローラは、前記撮像装置の電源スイッチのオフ、オートパワーオフ、前記撮像装置に着脱可能な記憶媒体の収納蓋の開動作、前記撮像装置の測光タイマのオフのいずれかのタイミングで前記第１の記憶手段に記憶するとともに、前記電源スイッチのオフ、前記オートパワーオフ、前記収納蓋の開動作のいずれかのタイミングで前記第２の記憶手段に記憶することを特徴とする請求項１１乃至１６のいずれか１項に記載の制御装置。
【請求項１８】
請求項１１乃至１７のいずれか１項に記載の制御装置と、前記第３の記憶手段に記憶されている情報に基づいて、撮像回数に対応する情報を表示可能な表示手段とを有することを特徴とする撮像装置。
【請求項１９】
請求項１１乃至１７のいずれか１項に記載の制御装置と、前記撮像の際に駆動するセンサとを有することを特徴とする撮像装置。
【請求項２０】
電気部品と不揮発性の第１の記憶手段とを実装するとともに、独立して交換可能な第１の回路基板と、電気部品と不揮発性の第２の記憶手段とを実装する第２の回路基板とを備える撮像装置を制御する方法であって、
前記撮像装置の撮像に応じた第１のタイミングで第３の記憶手段に撮像回数に関する情報を累積して記憶する第１の記憶工程と、
前記第１のタイミングよりも間隔の開いた第２のタイミングで前記第１の記憶手段または前記第２の記憶手段に前記第３の記憶手段に記憶された情報に対応する情報を記憶させる第２の記憶工程と、を有し、
前記第１の記憶手段または前記第２の記憶手段に記憶されている撮像回数に関する情報を前記第３の記憶手段に移動する場合、前記第１の記憶手段および前記第２の記憶手段に記憶されている撮像回数に関する情報のうち撮像回数が多い方を前記第３の記憶手段に移動することを特徴とする撮像装置の制御方法。
【請求項２１】
前記第２の記憶工程では、前記第１の記憶手段への記憶の頻度よりも少ない頻度で前記第２の記憶手段へ記憶することを特徴とする請求項２０に記載の撮像装置の制御方法。
【請求項２２】
電気部品と不揮発性の第１の記憶手段とを実装するとともに、独立して交換可能な第１の回路基板と、電気部品と不揮発性の第２の記憶手段とを実装する第２の回路基板とを備える撮像装置を制御する方法であって、
前記撮像装置の撮像に応じた第１のタイミングで第３の記憶手段に撮像回数に関する情報を累積して記憶する第１の記憶工程と、
前記第１のタイミングよりも間隔の開いた第２のタイミングで前記第１の記憶手段または前記第２の記憶手段に前記第３の記憶手段に記憶された情報に対応する情報を記憶させる第２の記憶工程と、を有し、
前記第２の記憶工程では、前記第３の記憶手段に記憶された情報に対応する情報を、前記第１の記憶手段への記憶の頻度よりも少ない頻度で前記第２の記憶手段へ記憶させ、
前記第１の記憶手段または前記第２の記憶手段に記憶されている撮像回数に関する情報を前記第３の記憶手段に移動する場合、前記第１の記憶手段および前記第２の記憶手段に記憶されている撮像回数に関する情報を比較して前記第３の記憶手段に移動することを特徴とする撮像装置の制御方法。
【請求項２３】
コンピュータに請求項２０乃至２２のいずれか１項に記載の制御方法の各工程を実行させるためのプログラム。
【請求項２４】
コンピュータに請求項２０乃至２２のいずれか１項に記載の制御方法の各工程を実行させるためのプログラムを記憶したコンピュータが読み取り可能な記憶媒体。
【発明の詳細な説明】
【技術分野】
【０００１】
本発明は、電子スチルカメラ等の撮像装置に関し、特に不揮発性の記憶媒体を備えた撮像装置に関するものである。
【背景技術】
【０００２】
カメラの累積撮影回数を不揮発性の記憶媒体に記録することは、特許文献１に記載のカメラなどのように一般的に行われており、記録された値はサービスサポートなどに使われてきた。
【先行技術文献】
【特許文献】
【０００３】
【特許文献１】特開昭６３−９６６４２号公報
【発明の概要】
【発明が解決しようとする課題】
【０００４】
しかしながら、上述の特許文献１に開示された従来技術では累積撮影回数を単一の不揮発性記憶媒体に記憶しているため、記憶媒体を積載した基板が交換された場合などに、累積撮影回数のデータが失われるという問題があった。
【０００５】
本発明は上述した課題に鑑みてなされたものであり、その目的は、記憶媒体を積載した１つの基板が交換された場合でも、撮影回数のデータが失われない撮像装置を提供することである。
【課題を解決するための手段】
【０００６】
本発明に係わる制御装置は、撮像装置に実装される制御装置であって、電気部品と不揮発性の第１の記憶手段とを実装するとともに、独立して交換可能な第１の回路基板と、電気部品と不揮発性の第２の記憶手段とを実装する第２の回路基板と、前記撮像装置の撮像に応じた第１のタイミングで第３の記憶手段に撮像回数に関する情報を累積して記憶するとともに、前記第１のタイミングよりも間隔の開いた第２のタイミングで前記第１の記憶手段または前記第２の記憶手段に前記第３の記憶手段に記憶された情報に対応する情報を記憶させるコントローラと、を備え、前記コントローラは、前記第１の記憶手段または前記第２の記憶手段に記憶されている撮像回数に関する情報を前記第３の記憶手段に移動する場合、前記第１の記憶手段および前記第２の記憶手段に記憶されている撮像回数に関する情報のうち撮像回数が多い方を前記第３の記憶手段に移動することを特徴とする。
【発明の効果】
【０００７】
本発明によれば、記憶媒体を積載した１つの基板が交換された場合でも、撮影回数のデータが失われない撮像装置を提供することが可能となる。
【図面の簡単な説明】
【０００８】
【図１】本発明の一実施形態に係わるカメラの構成を示すブロック図。
【図２】カメラの起動時に撮影回数をＥＥＰＲＯＭから読み出す流れを説明したフローチャート。
【図３】ＥＥＰＲＯＭに撮影回数を書き込む流れを説明したフローチャート。
【発明を実施するための形態】
【０００９】
以下、本発明の一実施形態について、添付図面を参照して詳細に説明する。図１は、本発明の撮像装置の一実施形態であるデジタルカメラ１００の構成を示すブロック図である。
【００１０】
図１において、撮像系基板１０１は撮像装置内に配置され主に撮像センサの制御を行う部品（所定の電気部品）が実装された基板である。メイン基板１０２は撮像センサ以外の制御を行う部品（所定の電気部品）が実装された基板である。撮像系基板ＥＥＰＲＯＭ１０３は撮像系基板１０１上に配置された電気的に書き換え可能な不揮発性の記憶媒体であり、撮影回数（撮影実行回数）を記憶する領域を有する。撮像制御マイコン１０４は撮像センサ１０５と撮像系基板ＥＥＰＲＯＭ１０３の制御を行うＬＳＩである。撮像センサ１０５は画像情報を取得するＣＭＯＳセンサである。
【００１１】
メイン基板ＥＥＰＲＯＭ１０６はメイン基板１０２上に配置された電気的に書き換え可能な不揮発性の記憶媒体であり、撮影回数を記憶する領域を有する。カメラ制御マイコン１０７はデジタルカメラ１００を制御するマイコンであり、内部に揮発性の記憶領域（ＲＡＭ）を有している。ＲＡＭには撮影回数を保持する領域を有する。なお、撮像系基板１０１とメイン基板１０２は物理的に分離されており、独立して交換可能である。
【００１２】
すなわち、撮像装置１００は、撮像装置内の所定の電気部品を実装するとともに、互いに独立して交換可能な複数の回路基板と、複数の回路基板上にそれぞれ配置され、撮像装置の動作中（撮像装置の寿命全体）に累積されていく数値を記憶する複数の不揮発性の記憶媒体とを備えている。
【００１３】
カメラ制御マイコン１０７はユーザ操作部１０８からユーザの操作情報を受け取り、接続されている他の構成要素を制御してさまざまな処理を行う。例えば、ユーザ操作部１０８から撮影ボタンＯＮの通知を受け取った場合には撮影の処理を行い、ＲＡＭに保持している撮影回数をインクリメントする。また、カメラ制御マイコン１０７は自身を低消費電力モードに遷移させる機能を有する。
【００１４】
ユーザ操作部１０８は、ユーザからの各種ボタンの押下やスイッチの切り替えなどの操作を受け付け、カメラ制御マイコン１０７に制御を依頼する。本実施形態のユーザ操作部１０８は操作部材として少なくとも「電源スイッチ」、「測光ボタン」、「撮影ボタン」を備え、そのＯＮ／ＯＦＦをカメラ制御マイコン１０７に通知する機能を有する。また、一定時間操作部材が操作されなかったときは「測光タイマＯＦＦ」をカメラ制御マイコン１０７に通知する。
【００１５】
本実施形態では省略しているが、ユーザ操作部１０８に「カード蓋スイッチ」を持たせて、着脱可能な記憶媒体の収納蓋であるカード蓋を開けたこと（開動作）に伴って電源スイッチＯＦＦの処理をさせてもよい。また、長時間操作が無かった時は「オートパワーオフ」として電源スイッチＯＦＦの処理をさせてもよい。
【００１６】
撮影時駆動メカ１０９は撮影時に駆動させる機構部で、ミラーやシャッターなどから構成されている。画像記録部１１０は、撮像センサ１０５により得られた画像データに撮影時のパラメータなどを加えた画像ファイルを作成し、フラッシュメモリ等の記録メディアへ書き込む。表示部１１１は、カメラ制御マイコン１０７からの依頼を受けて、ユーザに対して各種情報を表示する。上記の１０３〜１１１は図１に示されるように電気的に接続されている。
【００１７】
前述したように、撮像系基板１０１とメイン基板１０２は物理的に分離されており、個別に交換可能である。撮像系基板ＥＥＰＲＯＭ１０３とメイン基板ＥＥＰＲＯＭ１０６に配置された撮影回数を記憶する領域の初期値は０である。したがって基板を交換した直後は撮影回数を読み出すと０が読みだされる。
【００１８】
次に図２のフローチャートを用いてカメラの起動時に撮影回数をＥＥＰＲＯＭから読み出す流れを説明する。
【００１９】
まず、Ｓ２００において、カメラ制御マイコン１０７はユーザ操作部１０８から定期的にスイッチの情報を取得し、電源スイッチがＯＮになるのを待つ。ＯＮになったらＳ２０１の処理を行う。
【００２０】
Ｓ２０１では、カメラ制御マイコン１０７は撮像制御マイコン１０４に対して撮影回数の取得を要求する。撮像制御マイコン１０４は撮像系基板ＥＥＰＲＯＭ１０３から撮影回数を読み出し、カメラ制御マイコン１０７に送信する。カメラ制御マイコン１０７は受信した撮影回数を撮像系基板１０１の撮影回数としてＲＡＭに保持する。
【００２１】
Ｓ２０２では、カメラ制御マイコン１０７はメイン基板ＥＥＰＲＯＭ１０６から撮影回数を読み出し、メイン基板１０２の撮影回数としてＲＡＭに保持する。
【００２２】
Ｓ２０３では、カメラ制御マイコン１０７は、Ｓ２０１で取得した撮像系基板１０１の撮影回数とＳ２０２で取得したメイン基板１０２の撮影回数を比較する。撮像系基板１０１の撮影回数が大きければＳ２０４の処理を行う。そうでなければＳ２０５の処理を行う。
【００２３】
Ｓ２０４では、カメラ制御マイコン１０７は、Ｓ２０１で取得した撮像系基板１０１の撮影回数が正しい値だと判断してＲＡＭに保持する。Ｓ２０５では、Ｓ２０２で取得したメイン基板１０２の撮影回数が正しい値だと判断してＲＡＭに保持する。
【００２４】
上記の処理を行うことにより、片方の基板を交換して撮影回数が０にクリアされても他方の基板から撮影回数を読み出すことができる。
【００２５】
次に図３のフローチャートを用いてカメラがＥＥＰＲＯＭに撮影回数を書き込む流れを説明する。
【００２６】
Ｓ３０１では、カメラ制御マイコン１０７はユーザ操作部１０８から電源スイッチの状態を取得する。電源ＯＦＦならＳ３０２の処理を行う。電源ＯＦＦでないならＳ３１１の処理を行う。
【００２７】
Ｓ３０２では、カメラ制御マイコン１０７は自身のＲＡＭに保持した撮影回数をメイン基板ＥＥＰＲＯＭ１０６（主たる記憶媒体）に書き込む。Ｓ３０３では、カメラ制御マイコン１０７は自身のＲＡＭに保持した撮影回数を撮像制御マイコン１０４に送信する。撮像制御マイコン１０４は受信した撮影回数を撮像系基板ＥＥＰＲＯＭ１０３（主たる記憶媒体以外の記憶媒体）に書き込む。Ｓ３０４では、カメラ制御マイコン１０７は必要な処理を行い、自身を低消費電力状態へ移行させる。
【００２８】
Ｓ３１１では、カメラ制御マイコン１０７はユーザ操作部１０８からスイッチの情報を取得し、測光タイマがＯＦＦしているかチェックする。Ｓ３１１において測光タイマがＯＦＦしていたら、カメラ制御マイコン１０７は、Ｓ３１２の処理を行う。測光タイマがＯＦＦしていなかったらＳ３０１の処理に戻る。Ｓ３１２では、カメラ制御マイコン１０７は自身のＲＡＭに保持した撮影回数をメイン基板ＥＥＰＲＯＭ１０６に書き込む。上記の流れでＥＥＰＲＯＭに撮影回数を記憶する。
【００２９】
なお、撮像系基板ＥＥＰＲＯＭ１０３への書き込みはメイン基板ＥＥＰＲＯＭ１０６への書き込みより時間がかかるので、頻繁に発生する測光タイマＯＦＦのタイミングでは撮像系基板ＥＥＰＲＯＭ１０３に撮影回数を書き込まない。
【００３０】
以上、本発明の好ましい実施形態について説明したが、本発明はこれらの実施形態に限定されず、その要旨の範囲内で種々の変形及び変更が可能である。
【図１】
0005845062.tif 000002
【図２】
0005845062.tif 000003
【図３】
0005845062.tif 000004